(57)【要約】【課題】通常吹奏時と同じような感覚で吹奏することができると同時に期待する弱音効果を得ることができる管楽器用消音器を提供すること。【解決手段】サクソフォン等の管楽器のマウスピース１２やネック１０内に、空気の通過を絞る穴１９を備えた制音材１３が配置されている。また、制音材１３には、バイパス管１４が併設されており、当該バイパス管１４は、空気の吹込み口１５から吹き込まれた空気を外部に逃がすことで、抵抗を緩和して無理のない吹奏感が得られるようになっている。【選択図】図１
2014029383.tif 000002
【特許請求の範囲】
【請求項１】
管楽器の内部に配置されて管内の空気通路を狭くする制音材を含む管楽器用消音器において、
前記管楽器の内外を連通させるバイパス管を、前記制音材に併設したことを特徴とする管楽器用消音器。
【請求項２】
前記制音材及びバイパス管はマウスピースに設けられていることを特徴とする請求項１記載の管楽器用消音器。
【請求項３】
前記制音材及びバイパス管は、管楽器のネックに設けられていることを特徴とする請求項１記載の管楽器用消音器。
【請求項４】
前記制音材及びバイパス管は、マウスピースと管楽器のネックのそれぞれに設けられていることを特徴とする請求項１記載の管楽器用消音器。
【請求項５】
前記バイパス管がテーパ状であること特徴とする請求項１ないし４の何れかに記載の管楽器用消音器。
【請求項６】
前記制音材は複数直列配置されていることを特徴とする請求項１ないし５の何れかに記載の管楽器用消音器。
【請求項７】
前記バイパス管の呼気導入口が前記制音材の呼気導入口と同じ位置か、それよりもマウスピースの空気吹込み口側に配置されていることを特徴とする請求項１ないし６の何れかに記載の管楽器用消音器。
【発明の詳細な説明】
【技術分野】
【０００１】
本発明は管楽器用消音器に係り、特に、サクソフォーン、クラリネット、オーボエ、ファゴット等の木管楽器において、通常の吹奏感と同じような吹奏感で制音、すなわち、弱音化することのできる管楽器用消音器に関する。
【背景技術】
【０００２】
サクソフォン等の管楽器を自宅で吹奏する場合、その音量は相当に大きいものであり、特別に設計された防音室での演奏でない限り、近隣への影響を考慮して音量を低くすることが要請される。
このような管楽器の音量を小さくする消音構造としては、例えば、管楽器のネック内に、その内径を絞る短円筒状の弱音具（制音材）を配置する構造（特許文献１）や、管楽器共鳴管にバイパス管を設けて楽器外部に引き出す構造（特許文献２）が提案されている。
【先行技術文献】
【特許文献】
【０００３】
【特許文献１】実用新案登録第３１５３６６６号公報
【特許文献２】特開２００５−３２６８１０号公報
【発明の開示】
【発明が解決しようとする課題】
【０００４】
しかしながら、特許文献１記載のものにあっては、制音材がネック内の空気通路を狭める構造であるため、音量を低減させることはできるものの、吹き込んだ空気の流れを阻害する抵抗感が増えてしまうことから、通常時の息使いよりも苦しく感じられ、吹奏感を悪化させてしまうという不都合がある。
更に、特許文献２記載の構造は、楽器からバイパスさせたマフラー構造で消音効果を狙っているが、楽器の抵抗感が減ってしまい、同様に吹奏感を悪くするという不都合がある。
【０００５】
本発明はこのような不都合に着目して案出されたものであり、その目的は、通常吹奏時と同じような感覚で吹奏することができると同時に期待する制音効果を得ることができる楽器用消音器を提供することにある。
【課題を解決するための手段】
【０００６】
前記目的を達成するため、本発明は、特許請求の範囲記載の構成を採用したものであり、具体的には、管楽器の内部に配置されて管内の空気通路を狭くする制音材を含む管楽器用消音器において、
前記管楽器の内外を連通させるバイパス管を、前記制音材に併設する、という構成を採っている。
【０００７】
本発明において、前記制音材及びバイパス管はマウスピースに設けられる、という構成を採ることができる。
【０００８】
また、前記制音材及びバイパス管は、管楽器のネックに設けられる構成としてもよい。
【０００９】
更に、前記制音材及びバイパス管は、マウスピースと管楽器のネックのそれぞれに設けられる構成を採用することができる。
【００１０】
また、前記バイパス管がテーパ状であるものを用いる構成でもよい。
【００１１】
更に、前記制音材は複数直列配置することもできる。
【００１２】
また、前記バイパス管の呼気導入口が前記制音材の呼気導入口と同じ位置か、それよりもマウスピースの空気吹込み口側に配置される、という構成を採ることができる。
【発明の効果】
【００１３】
制音材によって管楽器内の空気通路が狭くされると、吹き込む息の流れに対する抵抗を生ずるため、苦しさを与えて吹奏感を低下させることになるが、本発明によれば、その制音材にバイパス管を併設しているので、管楽器内に吹き込まれた空気の総量を通常吹奏時と同じようにしても、バイパス管側から外部にも空気が流れて上記抵抗が緩和され、音量を低下させるとともに、良好な吹奏感を維持することができる。
また、制音材とバイパス管をマウスピースに設けたり、ネックに設けたりすれば、楽器全体から見たときに上流側での空気流調整となり、効果的な制音すなわち弱音化を実現することができる。このように、制音材とバイパス管をマウスピースに設けたり、ネックに設けたりすれば、楽器本体にこれらを設けるのに比べて、マウスピースやネックの交換だけで弱音化を実現できるというメリットもある。
また、前記制音材を複数直列配置することで、弱音化の程度を調整することもできる。
【図面の簡単な説明】
【００１４】
【図１】本発明の実施形態に係る消音器の要部断面図。
【図２】変形例に係る消音器の要部断面図。
【図３】変形例に係る消音器の要部断面図。
【図４】変形例に係る消音器の要部断面図。
【図５】変形例に係る消音器の要部断面図。
【図６】変形例に係る消音器の要部断面図。
【図７】変形例に係る消音器の要部断面図。
【図８】変形例に係る消音器の要部断面図。
【発明を実施するための形態】
【００１５】
以下、本発明がサクソフォンに適用された実施形態について説明する。
図１において、サクソフォンのネック１０の端部外周側にコルク１１を介してマウスピース１２が着脱自在に装着されている。このマウスピース１２には、消音器を構成する制音材１３及びバイパス管１４が設けられている。ここで、マウスピース１２は、図１中左側下部の空気吹込み口１５と、右端の開口１６、これら空気吹込み口１５と、開口１６との間に設けられた通路１７とを備え、空気吹込み口１５には、１枚のリード１８が装着されている。
【００１６】
前記制音材１３は、特に限定されるものではないが、金属板、合成樹脂板、発泡合成樹脂体等から選ばれる素材により形成されており、通路１７の内形に対応した外形を備えた大きさに設けられ、これにより、マウスピース１２の内周に固定可能となっている。制音材１３は、その中央部に、通路１７を部分的に絞るように狭くする穴１９が形成された略ドーナツ状をなし、空気吹込み口１５より吹き込まれた空気が穴１９を通じて図示しない楽器本体内に流れるようになっている。
【００１７】
前記バイパス管１４は、管楽器の内外、本実施形態ではマウスピース１２の内外を連通させるパイプ状に設けられている。このバイパス管１４は、マウスピース１２の外周部分に形成された穴１２Ａ内に嵌合することで支持されている。また、バイパス管１４は、制音材１３よりも空気吹込み口１５側であって、制音材１３の直近の上方に位置するように併設されている。なお、バイパス管１４は、本実施形態では、パイプの全長に亘って略等しい内径に設けられている。
【００１８】
上記構成によれば、空気吹込み口１５から吹き込まれた空気は、制音材１３の絞られた穴１９の存在によって空気の流量が制約を受けて音量を低減させるようになる。この際、制音材１３の呼気導入口１９Ａ上流側にはバイパス管１４の呼気導入口２１が設けられているため、吹奏者の息の一部はバイパス管１４に流れるので、息の抵抗が下がるが、その後に制音材１３が配置されているため、息の抵抗は通常の楽器と同等となり、良好な吹奏感を得ることができる。つまり、通常の息使いと同じような吹奏感で空気吹込みが行える結果、吹奏感を低下させてしまうといった不都合を回避できる。
本実施形態において、バイパス管を追加することによって、管内部の音圧がバイパス管により下げられるので、従来製品の制音材単体の場合よりも高い弱音効果を得ることができる。
【００１９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００２０】
例えば、図２に示されるように、制音材１３を前記実施形態と同様にマウスピース１２の内周側に固定するとともに、バイパス管１４の内径をテーパ状に形成した構成を採用することもできる。このバイパス管１４は、通路１７側（基端側）の内径が出口側（先端側）の内径よりも大きいテーパ状（逆テーパ状）に設けられている。
バイパス管を逆テーパ状とすることで、図１のようなストレート状の長いバイパス管の基本共鳴周波数を、短いバイパス管で実現できるので、このような変形例によっても、前記実施形態と同様の作用、効果を得ることができる。この場合、バイパス管がコンパクトになるというメリットがある。
【００２１】
また、図３に示されるように、制音材１３に二つの穴１９を形成して一方の穴１９にバイパス管１４の基端側を接続し、バイパス管１４をネック１０内に導出するとともに、先端側をネック１０の外周部分から外方に突出させる構成を採用することができる。この変形例では、制音材１３がネック１０の端部に固定されている。制音材１３の穴１９の呼気導入口１９Ａと、バイパス管１４への呼気導入口２１となるもう一方の穴１９の空気導入口が同一面内となるので、このことによっても、吹奏感が楽になる。
図１、２の構成は、制音材１３及びバイパス管１４がマウスピース１２に設けられた構成であるが、吹奏者によっては、自身の手持ちのマウスピースを使いたい場合がある。そこで、図３に示される構成とすれば、そのような要請に応えることができる。
このような構成では、図１、２と同様に吹奏感を良好に保った状態で、音量を下げる性能を維持し、且つ、吹奏者の好みのマウスピースに交換して吹奏することもできる。なお、この構成においても、バイパス管１４をテーパ状にすることもできる。
【００２２】
更に、図４に示されるように、マウスピース１２内に二つの制音材１３を相互に間隔をおいて２個直列配置してもよい。その他の構成は図１の構成と同様である。
このような配置とした場合には、制音材１３の間にマフラーのような部屋ができることとなり、更に音量を下げることができる、という効果が付加される。
【００２３】
図５は、マウスピース１２の空気吹込み口１５側に制音材１３及びバイパス管１４を配置したものである。
制音材１３及びバイパス管１４は、マウスピース１２の空気吹込み口１５から遠い位置に配置されると、ピッチが悪くなる傾向があるが、この変形例によれば、そのような不都合を解消することができる。
バイパス管１４は、この例ではマウスピース１２の上部に設置しているが、演奏時の邪魔にならないように、マウスピース１２の周方向に適当にずらした位置、例えば右横側などに設置してもよい。
【００２４】
図６は、図５の変形的態様であり、制音材１３の数を増やしたところに特徴を有する。このような構成によれば、図４と同様に、制音材１３の間にマフラーのような部屋ができることとなり、制音性能を更に向上させることができる。
【００２５】
図７は、図３と同様の制音材１３をマウスピース１２の内周における空気吹込み口１４寄りに固定し、図３と同様にバイパス管１４を配置したものである。
このような構成によっても期待する制音効果を得ることができる。
【００２６】
また、図８に示されるように、ネック１０の端部内に制音材１３を固定するとともに、ネック１０の外周側に沿って延びる適宜なリブを周方向所定間隔ごとに介在させて外筒２０を設け、当該外筒２０とネック１０との間の隙間Ｓをバイパス管として機能させる構成を採用してもよい。
隙間Ｓの各部の断面積や隙間Ｓの空間の全長を、既述のバイパス管のそれと同様に設定すれば音響特性を同様とすることができるので、このような構成によっても期待する制音効果を得ることができる。
このような構成によれば、吹奏者が所有するマウスピース１２を利用することが可能となる他、バイパス管がネックやマウスピースから突出する形状を避けることができる。
【００２７】
以上説明したように、本発明は、制音材１３にバイパス管１４を併設し、制音材１３によって生ずる空気の流通抵抗をバイパス管１４が補完するように緩和する構成で期待する弱音化を達成できるように構成されていれば足りる。
また、管楽器はサクソフォンに限定されるものではなく、クラリネット等の木管楽器に適用することができる。
【符号の説明】
【００２８】
１０…ネック、１２…マウスピース、１３…制音材、１４…バイパス管、１５…空気吹込み口、１９Ａ…呼気導入口、２１…呼気導入口
【図１】
2014029383.tif 000003
【図２】
2014029383.tif 000004
【図３】
2014029383.tif 000005
【図４】
2014029383.tif 000006
【図５】
2014029383.tif 000007
【図６】
2014029383.tif 000008
【図７】
2014029383.tif 000009
【図８】
2014029383.tif 000010